【手続補正書】
【提出日】平成26年10月30日(2014.10.30)
【手続補正１】
【補正対象書類名】特許請求の範囲
【補正対象項目名】全文
【補正方法】変更
【補正の内容】
【特許請求の範囲】
【請求項１】
脊椎手術を行うためのシステムであって、
２つの隣接する椎骨の間に挿入するためのサイズを有するインプラントと、
内部挿入ツール経路を規定する細長いカニューレ挿入ツールであって、前記細長いカニューレ挿入ツールの遠位端は、前記インプラントの少なくとも１つの外面の少なくとも一部分に嵌合して係合する、細長いカニューレ挿入ツールと、
前記挿入ツール経路の中に位置付けられ、縦の内部ロックシャフト経路を規定する細長いロックシャフトであって、前記細長いロックシャフトの遠位端は、前記インプラントの一部分を選択的に係合する、細長いロックシャフトと
を備えている、システム。
【請求項２】
前記インプラントは、少なくとも１つのインプラント開口を規定する、請求項１に記載のシステム。
【請求項３】
前記細長いシャフトの前記遠位端は、前記インプラントの一部分と係合され、前記内部ロックシャフト経路と前記インプラント開口とは、実質的に同軸である、請求項２に記載のシステム。
【請求項４】
前記インプラント開口の少なくとも近位部分は、雌ネジを備え、前記細長いロックシャフトの前記遠位端の少なくとも一部分は、前記インプラント開口の前記雌ネジと嵌合する雄ネジを備えている、請求項３に記載のシステム。
【請求項５】
挿入後に前記インプラントを回転整列させる手段をさらに備えている、請求項１に記載のシステム。
【請求項６】
前記細長いカニューレ挿入ツールの近位部分に位置付けられたハンドルをさらに備え、前記ハンドルは、前記インプラントの回転配向を決定する視覚的手段を提供する、請求項１に記載のシステム。
【請求項７】
前記インプラント開口および前記縦の内部ロックシャフト経路は、ガイドワイヤを受け入れるために構成されている、請求項３に記載のシステム。
【請求項８】
前記インプラントは、実質的に弾丸形の遠位端と、前記インプラント開口と実質的に同軸である縦軸とを備え、前記インプラント開口は、前記インプラントを通って延在する、請求項７に記載のシステム。
【請求項９】
前記インプラントは、各々が隆起表面を規定する２つの対向する縦把持面を備えている、請求項８に記載のシステム。
【請求項１０】
前記インプラントは、前記インプラント開口と連通しているインプラント空洞をさらに規定し、前記インプラント空洞は、前記把持面のうちの少なくとも１つに対して実質的に開口している、請求項９に記載のシステム。
【請求項１１】
前記細長いカニューレ挿入ツールの近位端は、雌ネジを備え、前記細長いロックシャフトの近位端の少なくとも一部分は、前記カニューレ挿入ツールの前記雌ネジと嵌合する雄ネジを備え、時計回り方向の前記ロックシャフトの回転が、第１の方向に前記カニューレ挿入ツール内で縦方向に前記ロックシャフトを移動させ、反時計回り方向の前記ロックシャフトの回転が、第２の反対方向に前記カニューレ挿入ツール内で縦方向に前記ロックシャフトを移動させる、請求項１に記載のシステム。
【請求項１２】
前記ロックシャフトの前記近位端の一部分上に位置付けられたノブをさらに備え、前記ノブは、縦軸の周囲で前記ロックシャフトの回転を可能にする、請求項１１に記載のシステム。
【請求項１３】
前記細長いカニューレ挿入ツールの前記遠位端は、前記インプラントの前記近位端の少なくとも一部分と嵌合するように構成され、前記細長いカニューレ挿入ツールの回転は、それに対応して前記インプラントを回転させる、請求項１に記載のシステム。
【請求項１４】
遠位端、近位端、および縦軸を有する本体を備えている脊椎インプラントであって、前記インプラントは、２つの隣接する椎骨の間に挿入するためのサイズを有し、実質的に弾丸形の遠位端を備えている、脊椎インプラント。
【請求項１５】
前記インプラントは、前記縦軸と実質的に同軸である、前記本体を通る少なくとも１つのインプラント開口を規定する、請求項１４に記載の脊椎インプラント。
【請求項１６】
前記本体は、各々が隆起表面を規定する２つの対向する縦把持面を備えている、請求項１５に記載の脊椎インプラント。
【請求項１７】
前記本体は、前記インプラント開口と連通しているインプラント空洞をさらに規定し、前記インプラント空洞は、前記把持面のうちの少なくとも１つに対して実質的に開口している、請求項１６に記載の脊椎インプラント。
【請求項１８】
前記本体の前記近位端は、挿入ツールと嵌合することにより、前記挿入ツールの回転がそれに対応して前記インプラントを回転させるように構成されている、請求項１４に記載の脊椎インプラント。
【請求項１９】
生体適合性材料を含む、請求項１４に記載の脊椎インプラント。
【請求項２０】
前記生体適合性材料は、ポリエーテルエーテルケトン、セラミック、同種移植骨、およびＢａＳＯ４を伴うポリエーテルエーテルケトンから成る群より選択される、請求項１９に記載の脊椎インプラント。
【請求項２１】
脊椎手術を行うためのシステムであって、
少なくとも１つのインプラント開口を規定するインプラントであって、前記インプラントは、２つの隣接する椎骨の間に挿入するためのサイズを有する、インプラントと、
内部挿入ツール経路を規定する細長いカニューレ挿入ツールであって、前記細長いカニューレ挿入ツールの遠位端は、前記インプラントの少なくとも１つの外面の少なくとも一部分に嵌合して係合する、細長いカニューレ挿入ツールと、
前記挿入ツール経路の中に位置付けられ、縦の内部ロックシャフト経路を規定する細長いロックシャフトであって、前記細長いロックシャフトの遠位端は、係合されたときに、前記内部ロックシャフト経路と前記インプラント開口とが実質的に同軸であるように、前記インプラントの一部分を選択的に係合する、細長いロックシャフトと
を備えている、システム。
【請求項２２】
前記インプラント開口の少なくとも近位部分は、雌ネジを備え、前記細長いロックシャフトの前記遠位端の少なくとも一部分は、前記インプラント開口の前記雌ネジと嵌合する雄ネジを備えている、請求項２１に記載のシステム。
【請求項２３】
挿入後に前記インプラントを回転整列させる手段をさらに備えている、請求項２１に記載のシステム。
【請求項２４】
前記細長いカニューレ挿入ツールの近位部分に位置付けられたハンドルをさらに備え、前記ハンドルは、前記インプラントの回転配向を決定する視覚的手段を提供する、請求項２１に記載のシステム。
【請求項２５】
前記インプラント開口および前記縦の内部ロックシャフト経路は、ガイドワイヤを受け入れるために構成されている、請求項２１に記載のシステム。
【請求項２６】
前記インプラントは、実質的に弾丸形の遠位端と、前記インプラント開口と実質的に同軸である縦軸とを備え、前記インプラント開口は、前記インプラントを通って延在する、請求項２２に記載のシステム。
【請求項２７】
前記インプラントは、各々が隆起表面を規定する２つの対向する縦把持面を備えている、請求項２６に記載のシステム。
【請求項２８】
前記インプラントは、前記インプラント開口と連通しているインプラント空洞をさらに規定し、前記インプラント空洞は、前記把持面のうちの少なくとも１つに対して実質的に開口している、請求項２７に記載のシステム。
【請求項２９】
前記細長いカニューレ挿入ツールの近位端は、雌ネジを備え、前記細長いロックシャフトの近位端の少なくとも一部分は、前記カニューレ挿入ツールの前記雌ネジと嵌合する雄ネジを備え、時計回り方向の前記ロックシャフトの回転が、第１の方向に前記カニューレ挿入ツール内で縦方向に前記ロックシャフトを移動させ、反時計回り方向の前記ロックシャフトの回転が、第２の反対方向に前記カニューレ挿入ツール内で縦方向に前記ロックシャフトを移動させる、請求項２１に記載のシステム。
【請求項３０】
前記ロックシャフトの前記近位端の一部分上に位置付けられたノブをさらに備え、前記ノブは、縦軸の周囲で前記ロックシャフトの回転を可能にする、請求項２９に記載のシステム。
【請求項３１】
前記細長いカニューレ挿入ツールの前記遠位端は、前記インプラントの前記近位端の少なくとも一部分と嵌合するように構成され、前記細長いカニューレ挿入ツールの回転は、それに対応して前記インプラントを回転させる、請求項２１に記載のシステム。
【請求項３２】
遠位端、近位端、および縦軸を有する本体を備えている脊椎インプラントであって、前記本体は、前記縦軸と実質的に同軸である、前記本体を通る少なくとも１つのインプラント開口を規定し、前記インプラントは、２つの隣接する椎骨の間に挿入するためのサイズを有し、実質的に弾丸形の遠位端を備えている、脊椎インプラント。
【請求項３３】
前記本体は、各々が隆起表面を規定する２つの対向する縦把持面を備えている、請求項３２に記載の脊椎インプラント。
【請求項３４】
前記本体は、前記インプラント開口と連通しているインプラント空洞をさらに規定し、前記インプラント空洞は、前記把持面のうちの少なくとも１つに対して実質的に開口している、請求項３３に記載の脊椎インプラント。
【請求項３５】
前記本体の前記近位端は、挿入ツールと嵌合することにより、前記挿入ツールの回転がそれに対応して前記インプラントを回転させるように構成されている、請求項３２に記載の脊椎インプラント。
【請求項３６】
生体適合性材料を含む、請求項３２に記載の脊椎インプラント。
【請求項３７】
前記生体適合性材料は、ポリエーテルエーテルケトン、セラミック、同種移植骨、およびＢａＳＯ４を伴うポリエーテルエーテルケトンから成る群より選択される、請求項３６に記載の脊椎インプラント。
【手続補正２】
【補正対象書類名】明細書
【補正対象項目名】００１０
【補正方法】変更
【補正の内容】
【００１０】
本発明は、例えば、以下を提供する：
（項目１）
脊椎手術を行うためのシステムであって、
２つの隣接する椎骨の間に挿入するためのサイズを有するインプラントと、
内部挿入ツール経路を規定する細長いカニューレ挿入ツールであって、前記細長いカニューレ挿入ツールの遠位端は、前記インプラントの少なくとも１つの外面の少なくとも一部分に嵌合して係合する、細長いカニューレ挿入ツールと、
前記挿入ツール経路の中に位置付けられ、縦の内部ロックシャフト経路を規定する細長いロックシャフトであって、前記細長いロックシャフトの遠位端は、前記インプラントの一部分を選択的に係合する、細長いロックシャフトと
を備えている、システム。
（項目２）
前記インプラントは、少なくとも１つのインプラント開口を規定する、項目１に記載のシステム。
（項目３）
前記細長いシャフトの前記遠位端は、前記インプラントの一部分と係合され、前記内部ロックシャフト経路と前記インプラント開口とは、実質的に同軸である、項目２に記載のシステム。
（項目４）
前記インプラント開口の少なくとも近位部分は、雌ネジを備え、前記細長いロックシャフトの前記遠位端の少なくとも一部分は、前記インプラント開口の前記雌ネジと嵌合する雄ネジを備えている、項目３に記載のシステム。
（項目５）
挿入後に前記インプラントを回転整列させる手段をさらに備えている、項目１に記載のシステム。
（項目６）
前記細長いカニューレ挿入ツールの近位部分に位置付けられたハンドルをさらに備え、前記ハンドルは、前記インプラントの回転配向を決定する視覚的手段を提供する、項目１に記載のシステム。
（項目７）
前記インプラント開口および前記縦の内部ロックシャフト経路は、ガイドワイヤを受け入れるために構成されている、項目３に記載のシステム。
（項目８）
前記インプラントは、実質的に弾丸形の遠位端と、前記インプラント開口と実質的に同軸である縦軸とを備え、前記インプラント開口は、前記インプラントを通って延在する、項目７に記載のシステム。
（項目９）
前記インプラントは、各々が隆起表面を規定する２つの対向する縦把持面を備えている、項目８に記載のシステム。
（項目１０）
前記インプラントは、前記インプラント開口と連通しているインプラント空洞をさらに規定し、前記インプラント空洞は、前記把持面のうちの少なくとも１つに対して実質的に開口している、項目９に記載のシステム。
（項目１１）
前記細長いカニューレ挿入ツールの近位端は、雌ネジを備え、前記細長いロックシャフトの近位端の少なくとも一部分は、前記カニューレ挿入ツールの前記雌ネジと嵌合する雄ネジを備え、時計回り方向の前記ロックシャフトの回転が、第１の方向に前記カニューレ挿入ツール内で縦方向に前記ロックシャフトを移動させ、反時計回り方向の前記ロックシャフトの回転が、第２の反対方向に前記カニューレ挿入ツール内で縦方向に前記ロックシャフトを移動させる、項目１に記載のシステム。
（項目１２）
前記ロックシャフトの前記近位端の一部分上に位置付けられたノブをさらに備え、前記ノブは、縦軸の周囲で前記ロックシャフトの回転を可能にする、項目１１に記載のシステム。
（項目１３）
前記細長いカニューレ挿入ツールの前記遠位端は、前記インプラントの前記近位端の少なくとも一部分と嵌合するように構成され、前記細長いカニューレ挿入ツールの回転は、それに対応して前記インプラントを回転させる、項目１に記載のシステム。
（項目１４）
遠位端、近位端、および縦軸を有する本体を備えている脊椎インプラントであって、前記インプラントは、２つの隣接する椎骨の間に挿入するためのサイズを有し、実質的に弾丸形の遠位端を備えている、脊椎インプラント。
（項目１５）
前記インプラントは、前記縦軸と実質的に同軸である、前記本体を通る少なくとも１つのインプラント開口を規定する、項目１４に記載の脊椎インプラント。
（項目１６）
前記本体は、各々が隆起表面を規定する２つの対向する縦把持面を備えている、項目１５に記載の脊椎インプラント。
（項目１７）
前記本体は、前記インプラント開口と連通しているインプラント空洞をさらに規定し、前記インプラント空洞は、前記把持面のうちの少なくとも１つに対して実質的に開口している、項目１６に記載のシステム。
（項目１８）
前記本体の前記近位端は、挿入ツールと嵌合することにより、前記挿入ツールの回転がそれに対応して前記インプラントを回転させるように構成されている、項目１４に記載の脊椎インプラント。
（項目１９）
生体適合性材料を含む、項目１４に記載の脊椎インプラント。
（項目２０）
前記生体適合性材料は、ポリエーテルエーテルケトン、セラミック、同種移植骨、およびＢａＳＯ４を伴うポリエーテルエーテルケトンから成る群より選択される、項目１９に記載の脊椎インプラント。
（項目２１）
脊椎手術を行うためのシステムであって、
少なくとも１つのインプラント開口を規定するインプラントであって、前記インプラントは、２つの隣接する椎骨の間に挿入するためのサイズを有する、インプラントと、
内部挿入ツール経路を規定する細長いカニューレ挿入ツールであって、前記細長いカニューレ挿入ツールの遠位端は、前記インプラントの少なくとも１つの外面の少なくとも一部分に嵌合して係合する、細長いカニューレ挿入ツールと、
前記挿入ツール経路の中に位置付けられ、縦の内部ロックシャフト経路を規定する細長いロックシャフトであって、前記細長いロックシャフトの遠位端は、係合されたときに、前記内部ロックシャフト経路と前記インプラント開口とが実質的に同軸であるように、前記インプラントの一部分を選択的に係合する、細長いロックシャフトと
を備えている、システム。
（項目２２）
前記インプラント開口の少なくとも近位部分は、雌ネジを備え、前記細長いロックシャフトの前記遠位端の少なくとも一部分は、前記インプラント開口の前記雌ネジと嵌合する雄ネジを備えている、項目２１に記載のシステム。
（項目２３）
挿入後に前記インプラントを回転整列させる手段をさらに備えている、項目２１に記載のシステム。
（項目２４）
前記細長いカニューレ挿入ツールの近位部分に位置付けられたハンドルをさらに備え、前記ハンドルは、前記インプラントの回転配向を決定する視覚的手段を提供する、項目２１に記載のシステム。
（項目２５）
前記インプラント開口および前記縦の内部ロックシャフト経路は、ガイドワイヤを受け入れるために構成されている、項目２１に記載のシステム。
（項目２６）
前記インプラントは、実質的に弾丸形の遠位端と、前記インプラント開口と実質的に同軸である縦軸とを備え、前記インプラント開口は、前記インプラントを通って延在する、項目２２に記載のシステム。
（項目２７）
前記インプラントは、各々が隆起表面を規定する２つの対向する縦把持面を備えている、項目２６に記載のシステム。
（項目２８）
前記インプラントは、前記インプラント開口と連通しているインプラント空洞をさらに規定し、前記インプラント空洞は、前記把持面のうちの少なくとも１つに対して実質的に開口している、項目２７に記載のシステム。
（項目２９）
前記細長いカニューレ挿入ツールの近位端は、雌ネジを備え、前記細長いロックシャフトの近位端の少なくとも一部分は、前記カニューレ挿入ツールの前記雌ネジと嵌合する雄ネジを備え、時計回り方向の前記ロックシャフトの回転が、第１の方向に前記カニューレ挿入ツール内で縦方向に前記ロックシャフトを移動させ、反時計回り方向の前記ロックシャフトの回転が、第２の反対方向に前記カニューレ挿入ツール内で縦方向に前記ロックシャフトを移動させる、項目２１に記載のシステム。
（項目３０）
前記ロックシャフトの前記近位端の一部分上に位置付けられたノブをさらに備え、前記ノブは、縦軸の周囲で前記ロックシャフトの回転を可能にする、項目２９に記載のシステム。
（項目３１）
前記細長いカニューレ挿入ツールの前記遠位端は、前記インプラントの前記近位端の少なくとも一部分と嵌合するように構成され、前記細長いカニューレ挿入ツールの回転は、それに対応して前記インプラントを回転させる、項目２１に記載のシステム。
（項目３２）
遠位端、近位端、および縦軸を有する本体を備えている脊椎インプラントであって、前記本体は、前記縦軸と実質的に同軸である、前記本体を通る少なくとも１つのインプラント開口を規定し、前記インプラントは、２つの隣接する椎骨の間に挿入するためのサイズを有し、実質的に弾丸形の遠位端を備えている、脊椎インプラント。
（項目３３）
前記本体は、各々が隆起表面を規定する２つの対向する縦把持面を備えている、項目３２に記載の脊椎インプラント。
（項目３４）
前記本体は、前記インプラント開口と連通しているインプラント空洞をさらに規定し、前記インプラント空洞は、前記把持面のうちの少なくとも１つに対して実質的に開口している、項目３３に記載のシステム。
（項目３５）
前記本体の前記近位端は、挿入ツールと嵌合することにより、前記挿入ツールの回転がそれに対応して前記インプラントを回転させるように構成されている、項目３２に記載の脊椎インプラント。
（項目３６）
生体適合性材料を含む、項目３２に記載の脊椎インプラント。
（項目３７）
前記生体適合性材料は、ポリエーテルエーテルケトン、セラミック、同種移植骨、およびＢａＳＯ４を伴うポリエーテルエーテルケトンから成る群より選択される、項目３６に記載の脊椎インプラント。
（項目３８）
患者の椎間板圧縮を矯正する経皮的融合方法であって、
所望の脊椎運動分節にアクセスするための後外側切開を作ることと、
脊椎インプラントを埋め込むために、隣接する椎体の間の椎間板腔の標的レベルを決定することと、
前記標的レベルで前記椎間板腔への経路を設置することと、
前記椎間板腔への前記経路を維持するためのガイドワイヤを挿入することと、
適切なサイズを有する移植インプラントを選択することと、
前記ガイドワイヤ上に脊椎インプラントを配置することと、
前記ガイドワイヤに沿って前記脊椎インプラントを摺動させ、所望の位置で前記椎間板腔の中へ前記脊椎インプラントを位置付けることと、
前記ガイドワイヤを除去することと、
前記所望の脊椎運動分節の少なくとも一部分を固定することと
を含む、方法。
（項目３９）
前記所望の脊椎運動分節の少なくとも一部分を固定するステップは、所望の面関節の中へ少なくとも１つの関節面ネジを固定することを含む、項目３８に記載の方法。
（項目４０）
前記後外側切開は、前記所望の脊椎運動分節のカムビンの三角を通して作られる、項目３８に記載の方法。
（項目４１）
前記脊椎インプラントは、遠位端、近位端、および縦軸を有する本体を備え、前記本体は、前記縦軸と実質的に同軸である、本体を通る少なくとも１つのインプラント開口を規定し、前記インプラントは、２つの隣接する椎骨の間に挿入するためのサイズを有し、実質的に弾丸形の遠位端を備えている、項目３８に記載の方法。
（項目４２）
前記本体は、各々が隆起表面を規定する２つの対向する縦把持面を備えている、項目４１に記載の方法。
（項目４３）
前記本体は、前記インプラント開口と連通しているインプラント空洞をさらに規定し、前記インプラント空洞は、前記把持面のうちの少なくとも１つに対して実質的に開口している、項目４２に記載の方法。
（項目４４）
前記本体の前記近位端は、挿入ツールの一部分と嵌合することにより、前記挿入ツールの回転がそれに対応して前記インプラントを回転させるように構成されている、項目４１に記載の方法。
（項目４５）
生体適合性材料を備えている、項目４１に記載の方法。
（項目４６）
前記生体適合性材料は、ポリエーテルエーテルケトン、セラミック、同種移植骨、およびＢａＳＯ４を伴うポリエーテルエーテルケトンから成る群より選択される、項目４５に記載の方法。
（項目４７）
前記標的レベルで前記椎間板腔への前記経路を設置することは、退出する神経根の近接性を測定するために、移送スリーブを伴う神経監視プローブを使用することを含む、項目３８に記載の方法。
（項目４８）
定位置に前記移送スリーブを残して、前記神経監視プローブを除去するステップをさらに含み、前記椎間板腔への経路を維持するための前記ガイドワイヤを挿入するステップは、前記移送スリーブを通して達成される、項目４７に記載の方法。
（項目４９）
前記移送スリーブを除去し、前記隣接する椎体を引き離すために前記ガイドワイヤ上に拡張器を配置するステップをさらに含む、項目４８に記載の方法。
（項目５０）
アクセス入口を前記拡張器上に位置付け、前記椎間板腔の中へ位置付け、前記拡張器およびガイドワイヤを除去するステップをさらに含む、項目４９に記載の方法。
（項目５１）
椎間板切除術を行い、前記アクセス入口を介して選択された脊椎終板を剥皮するステップをさらに含む、項目５０に記載の方法。
（項目５２）
前記アクセス入口を介して前記椎間板腔に骨移植片を導入することをさらに含み、前記骨移植片は、自家移植骨、同種移植骨、代用骨、および骨誘導作用物質から成る群より選択される材料から成る、項目５１に記載の方法。
（項目５３）
前記アクセス入口を介してガイドワイヤを再導入し、前記アクセス入口を除去するステップをさらに含む、項目５２に記載の方法。
（項目５４）
前記ガイドワイヤ上で前記脊椎インプラントを摺動させる前に、移植片を前記インプラント空洞の中へ充填するステップをさらに含み、前記移植片は、自家移植骨、同種移植骨、代用骨、および骨誘導作用物質から成る群より選択される材料から成る、項目４４に記載の方法。
（項目５５）
前記挿入ツールを回転させることにより、前記隣接する椎体の部分と接触するように前記２つの対向する縦把持面を位置付けるステップをさらに含む、項目５４に記載の方法。
（項目５６）
前記所望の脊椎運動分節の少なくとも一部分を固定するステップは、
所望の面関節への経路を設置することと、
所望の関節面ネジ深度に等しい、またはそれより深い深度まで、ガイドワイヤを挿入することと、
ガイドとして前記ガイドワイヤを使用して、面関節固定術を行うことと、
移植片を前記面関節に挿入することと、
前記所望の関節面ネジ深度まで前記少なくとも１つの関節面ネジを導入し、前記面関節を前記移植片上に圧迫することと
をさらに含む、項目３８に記載の方法。
（項目５７）
前記面関節の１つ以上の表面を剥皮するステップをさらに含む、項目５６に記載の方法。
（項目５８）
椎間孔神経根減圧を行うステップをさらに含む、項目３８に記載の方法。
（項目５９）
中枢神経根減圧を行うステップをさらに含む、項目３８に記載の方法。
（項目６０）
前記挿入ツールは、
内部挿入ツール経路を規定する細長いカニューレ本体であって、前記細長いカニューレ本体の遠位端は、前記インプラントの少なくとも１つの外面の少なくとも一部分に嵌合して係合する、細長いカニューレ本体と、
前記挿入ツール経路の中に位置付けられ、縦の内部ロックシャフト経路を規定する細長いロックシャフトであって、前記細長いロックシャフトの遠位端は、前記インプラントの一部分を選択的に係合する、細長いロックシャフトと
を備えている、項目４４に記載の方法。
本明細書では、椎間板圧縮を矯正する経皮的融合のための方法およびシステムが提示される。一側面では、本システムは、少なくとも１つのインプラント開口を規定するインプラントと、内部挿入ツール経路を規定する細長いカニューレ挿入ツールと、挿入ツール経路の中に位置付けられ、縦の内部ロックシャフト経路を規定する細長いロックシャフトとを備えている。